(57)【要約】      （修正有）【課題】幅広の保持部材を用いた場合にも、メンテナンスが容易であり、また、装飾板を取り付けた場合と遜色のない豪華な印象を与え、また、利用者が自ら市販のビーズや宝石を貼りつけても、容易に剥離しない保持部材を有する履物を提供する。【解決手段】足首を保持する部材２または足の甲を保持する部材３に、板状の装飾板４を縦横複数枚取り付けた履物１である。装飾板４は、四角形・台形・三角形・円形など任意の形状を選択することができる。四角形の場合には縦横に配置するだけで、台形や三角形の場合には上下反転したものを順次並べれば、保持部材の全部又は一部にすきまなく装飾板４を並べることができる。装飾板４を保持部材に取り付ける範囲は、一部又は全部など任意に選択することができる。【選択図】図１
0003145981.tif 000002
【実用新案登録請求の範囲】
【請求項１】
足首または足の甲を保持する部材に、板状の装飾板が縦横複数枚取り付けられた履物
【請求項２】
板状の装飾板が、縦横がそれぞれ５ｍｍ以下の方形であることを特徴とする請求項１記載の履物
【請求項３】
板状の装飾板に、金属又は光沢のある表面処理が施された材料が用いられていることを特徴とする請求項１または請求項２記載の履物
【考案の詳細な説明】
【技術分野】
【０００１】
本考案は、履物に関する。
【背景技術】
【０００２】
履物、とくに婦人用のサンダルやハイヒールにおいては、足首または足の甲を保持するストラップやベルトなどの部材（以下、「保持部材」という。）により、使用者の足と履物を固定するものが存在する。固定部材は紐状のものやベルト状の幅広のものなどがあるが、利用者が履物を履いて歩行する際、足の動きに合わせて、上下左右に柔軟に変形しなければ快適な利用感が得られない。
【考案の開示】
【考案が解決しようとする課題】
【０００３】
保持部材がストラップなどの紐状の部材である場合には、表面積が小さいこと等ゆえに、ほこりがつきにくくいが、豪華な感じを出すことは困難である。その反面、保持部材が幅広のベルトなどの場合には、装飾品を貼付するなど豪華な感じを出すことはできるが、汚れやすくメンテナンスが困難である。
【０００４】
また、履物に豪華な感じを出すために、保持部材に金属製などの剛性のある装飾を施すと、保持部材の変形が妨げられ、良好な利用感が損なわれる結果になっていた。
【０００５】
さらに、近時、若い女性を中心に、携帯電話やその他の持ち物に、市販されているビーズや宝石等を貼りつけたり、ペイントをすることが流行しているが、履物においては、ペイントすることは可能であっても、上記のように保持部材が歩行時に変形することから、ビーズ等を付けても容易に剥離してしまうことから、上記の流行は履物には及んでいない。
【０００６】
そこで、本考案に係る履物は、幅広の保持部材を用いた場合にも、メンテナンスが容易であり、また、装飾板を取り付けた場合と遜色のない豪華な印象を与え、また、利用者が自ら市販のビーズや宝石を貼りつけても、容易に剥離しない保持部材を有する履物を提供することを目的とする。
【課題を解決するための手段】
【０００７】
上述の目的を達成するために、保持部材の構造について試行錯誤した結果、本考案を完成させた。
【０００８】
本考案の請求項１の考案は、足首を保持する部材２または足の甲を保持する部材３に、板状の装飾板４を縦横複数枚取り付けた履物１である。装飾板４は、四角形・台形・三角形・円形など任意の形状を選択することができる。四角形の場合には縦横に配置するだけで、台形や三角形の場合には上下反転したものを順次並べれば、保持部材の全部又は一部にすきまなく装飾板４を並べることができる。装飾板４を保持部材に取り付ける範囲は、一部又は全部など任意に選択することができる。
【０００９】
請求項２の考案は、上記の装飾板４の寸法を縦横がそれぞれ５ｍｍ以下の方形であることを特徴とする請求項１記載の履物である。
【００１０】
請求項３の考案は、上記の板状の装飾板４に、金属又は光沢のある表面処理が施された材料が用いられていることを特徴とする請求項１または請求項２記載の履物である
【考案の効果】
【００１１】
本件考案の保持部材は、複数の平面状の装飾板４で装飾されていることから、一枚の装飾板を設けた場合と同様に豪華な感じを与えるとともに、個々の装飾板４が異なった状態で反射をするから、水面に光が跳ね返るようなきらびやかな効果を奏し、一枚の装飾板を用いた場合よりもより一層豪華な感じを与える。前記の効果は、装飾板４が金属製の場合又は金メッキや銀メッキなどの光沢のある表面処理がされている場合に特に顕著である。
【００１２】
また、本件考案の保持部材の装飾板４は、その表面が平面的なものであることから、ほこりが付着したとしても、容易に拭き取ることができメンテナンスが容易である。かかる効果は、装飾板４の表面を金属製などにした場合、撥水処理をした材料を用いることでより顕著になる。また、履物が利用されているばあいにも装飾板４の表面は波打ったりしないから、装飾板４に貼付したビーズや宝石などの装飾が剥がれることが少ない。また、装飾板４の色彩や材質を上下左右の装飾板４の間で変化させれば、いわゆるモザイク調の装飾が可能となり、従来にはない履物を提供できる。
【００１３】
さらに、装飾板４を５ｍｍ以下の大きさにすれば歩行時の保持部材の変形がよりスムーズになり、より動きの激しい運動用の履物にも応用することができる。
【考案を実施するための最良の形態】
【００１４】
本考案の保持部材は、足の甲部、又はそれに加えて足首部を留める位置に付けられる。そして、装飾板４は、それぞれの保持部材の一部または全部にわたる位置に貼付されるのであるが、装飾板４が密集して貼りつけられるほど、また、広範囲に貼りつけられるほど豪華な印象が向上し好ましい。
【００１５】
保持部材に装飾板４を取り付ける方法は、接着・ビス止めなど任意の方法を用いることができる。利用感を最も損なわず好ましい方法は、接着により方法であり、装飾板４を保持部材の基材６に接着剤層５を介して取り付けるものである。この際、装飾板４の間には、保持部材が変形した場合に隣接する装飾板との干渉を生じさせないように、若干の間隙を設けておくことが好ましい。
【００１６】
装飾板４の形状は、方形・三角形・円形など任意に設計変更可能である。製造の容易さと装飾の豪華さからは方形の装飾板を取り付けるのが好ましい。装飾板４の大きさにも制限はないが、その大きさが小さくなればなるほど、保持部材の変形を阻害する程度が低くなり利用感は向上するし、光が細かな面で反射されるため、よりきらびやかな感じが増大する。その反面、装飾板４が小さくなればなるほど製造は困難となり、また、装飾板４にさらにビーズや宝石を貼りつけることは困難となる。よって、本考案の効果をより享受するためには、装飾板４の縦横は、２ｍｍ以上であることが、より好ましい。
【図面の簡単な説明】
【００１７】
【図１】本考案の履物の正面図である。
【図２】本考案の履物の保持部材の断面図（図１のＡ−Ａ拡大断面図）である。
【符号の説明】
【００１８】
１      履物
２      保持部材（足首を保持するもの）
３      保持部材（足の甲を保持するもの）
４      装飾板
５      接着層
６      保持部材の基板
【図１】
0003145981.tif 000003
【図２】
0003145981.tif 000004